(57)【要約】【課題】通信端末がアプリケーション配信サーバにアプリケーションの配信を効率的に要求すること。【解決手段】通信端末３は、ビーコン信号受信部１１が、模型１０に設けられたビーコン装置２からビーコン信号を受信して、当該ビーコン信号に含まれるビーコンＩＤを取得する。また、物品情報取得部１２ａが、ビーコンＩＤに対応する物品情報を物品情報管理サーバ６から取得する。そして、配信要求部１２ｂが、物品情報に対応するアプリケーションの配信をアプリケーション配信サーバ９に要求し、アプリケーションを取得する。【選択図】図１
2015158841.tif 000002
【特許請求の範囲】
【請求項１】
物品に設けられ、識別情報をビーコン信号として発信するビーコン装置と、
前記ビーコン信号を受信可能な通信端末と、
前記識別情報と、前記物品及び当該物品に対応するアプリケーションの少なくとも一方を特定するための物品情報とを対応付けて記憶するデータベースを有する物品情報管理サーバと、
前記通信端末からの要求に応じて、当該通信端末に対してアプリケーションを配信するアプリケーション配信サーバと、を備えるアプリケーション配信システムであって、
前記通信端末は、
前記物品情報管理サーバ及び前記アプリケーション配信サーバと通信を行うサーバ通信部と、
前記ビーコン信号を受信して、当該ビーコン信号に含まれる識別情報を取得するビーコン信号受信部と、
前記サーバ通信部を介して、前記ビーコン信号受信部が取得した識別情報に対応する物品情報を前記物品情報管理サーバから取得する物品情報取得部と、
前記サーバ通信部を介して、前記物品情報取得部が取得した物品情報に対応するアプリケーションの配信を前記アプリケーション配信サーバに要求する配信要求部と、を有する
アプリケーション配信システム。
【請求項２】
前記通信端末は、
前記アプリケーション配信サーバに接続するための情報を出力する出力部と、
操作入力によって前記アプリケーション配信サーバに前記アプリケーションの配信の開始を指示する入力部と、を備える
請求項１に記載のアプリケーション配信システム。
【請求項３】
ビーコン装置がビーコン信号として発信する識別情報と、前記ビーコン装置が設けられる物品及び当該物品に対応するアプリケーションの少なくとも一方を特定するための物品情報とを対応付けて記憶するデータベースを格納する記憶部と、
前記ビーコン信号を受信して、当該ビーコン信号に含まれる識別情報を取得するビーコン信号受信部と、
前記ビーコン信号受信部が取得した識別情報に対応する物品情報を前記記憶部から取得する物品情報取得部と、
前記物品情報取得部が取得した物品情報に対応するアプリケーションの配信をアプリケーション配信サーバに要求する配信要求部と、を備える
通信端末。
【請求項４】
ビーコン装置から発信されるビーコン信号を受信して、当該ビーコン信号に含まれる識別情報を取得する通信端末からアクセス可能な記憶装置であって、
前記識別情報と、前記ビーコン装置が設けられる物品及び当該物品に対応するアプリケーションの少なくとも一方を特定するための物品情報とを対応付けて記憶し、前記通信端末が取得した識別情報に対応する物品情報を当該通信端末に提供するデータベースを有する
記憶装置。
【請求項５】
物品に設けられ、識別情報をビーコン信号として発信するビーコン装置と、
前記ビーコン信号を受信可能な通信端末と、
前記識別情報と、前記物品及び当該物品に対応するアプリケーションの少なくとも一方を特定するための物品情報とを対応付けて記憶するデータベースを有する物品情報管理サーバと、
前記通信端末からの要求に応じて、当該通信端末に対してアプリケーションを配信するアプリケーション配信サーバと、を備えるアプリケーション配信システムにおいて、前記通信端末が前記アプリケーション配信サーバに前記アプリケーションの配信を要求するためのプログラムであって、
前記ビーコン信号を受信して、当該ビーコン信号に含まれる識別情報を取得する手順、
前記物品情報管理サーバと通信を行い、取得した前記識別情報に対応する物品情報を前記物品情報管理サーバから取得する手順、
前記アプリケーション配信サーバと通信を行い、取得した前記物品情報に対応するアプリケーションの配信を前記アプリケーション配信サーバに要求する手順と、を
コンピュータに実行させるプログラム。
【請求項６】
物品に設けられ、識別情報をビーコン信号として発信するビーコン装置と、
前記ビーコン信号を受信可能な通信端末と、
前記識別情報と、前記物品及び当該物品に対応するアプリケーションの少なくとも一方を特定するための物品情報とを対応付けて記憶するデータベースを有する物品情報管理サーバと、
前記通信端末からの要求に応じて、当該通信端末に対してアプリケーションを配信するアプリケーション配信サーバと、を備えるアプリケーション配信システムにおいて、前記通信端末がアプリケーション配信サーバに前記アプリケーションの配信を要求するためのアプリケーション配信方法であって、
前記ビーコン信号を受信して、当該ビーコン信号に含まれる識別情報を取得する第１取得ステップと、
前記物品情報管理サーバと通信を行い、取得した前記識別情報に対応する物品情報を前記物品情報管理サーバから取得する第２取得ステップと、
前記アプリケーション配信サーバと通信を行い、取得した前記物品情報に対応するアプリケーションの配信を前記アプリケーション配信サーバに要求する要求ステップと、を含む
アプリケーション配信方法。
【発明の詳細な説明】
【技術分野】
【０００１】
本発明は、例えば、製品や商品等を含む物品に対応するアプリケーションの配信を行う場合に適用されるアプリケーション配信システム、通信端末、記憶装置、プログラム及びアプリケーション配信方法に関する。
【背景技術】
【０００２】
例えば、スマートフォン等の通信端末にインストールされることにより、無線通信機を搭載した電動模型を操作可能とするアプリケーションが提供されている。このようなアプリケーションは、操作対象の電動模型専用のアプリケーションとして予めアプリケーション配信サーバに格納されている。電動模型を購入したユーザは、通信端末にＵＲＬ（Uniform Resource Locator）を入力してアプリケーション配信サーバにアクセスし、目的とする専用アプリケーションの配信を要求する。そして、アプリケーション配信サーバからダウンロードした専用アプリケーションを通信端末にインストールする。
【０００３】
アプリケーションを配信するための技術として、例えば、特許文献１には、クライアントからの要求に応じて、サーバからクライアントに通信ネットワークを利用して、アプリケーションソフトウェアを配信する技術が開示されている。
【先行技術文献】
【特許文献】
【０００４】
【特許文献１】特開２００２−２４４７５１号公報
【発明の概要】
【発明が解決しようとする課題】
【０００５】
しかしながら、従来のアプリケーション配信システムでは、ユーザが操作したい電動模型毎にアプリケーションを特定する必要がある。そのため、ユーザは、個別の配信サイトのＵＲＬを直接入力したり、アプリケーション配信サーバから操作したい電動模型に対応するアプリケーションを検索したりする必要がある。
【０００６】
本発明はこのような状況に鑑みて成されたものであり、通信端末がアプリケーション配信サーバからアプリケーションの配信を効率的に受けられるようにすることを目的とする。
【課題を解決するための手段】
【０００７】
本発明は、物品に設けられ、識別情報をビーコン信号として発信するビーコン装置と、ビーコン信号を受信可能な通信端末と、識別情報と、物品及び当該物品に対応するアプリケーションの少なくとも一方を特定するための物品情報とを対応付けて記憶するデータベースを有する物品情報管理サーバと、通信端末からの要求に応じて、当該通信端末に対してアプリケーションを配信するアプリケーション配信サーバと、を備えるアプリケーション配信システムに関する。この通信端末は、ビーコン信号を受信して、当該ビーコン信号に含まれる識別情報を取得する。そして、物品情報管理サーバと通信を行い、取得した識別情報に対応する物品情報を物品情報管理サーバから取得し、アプリケーション配信サーバと通信を行い、取得した物品情報に対応するアプリケーションの配信をアプリケーション配信サーバに要求する。
【０００８】
また、本発明は、ビーコン装置がビーコン信号として発信する識別情報と、ビーコン装置が設けられる物品及び当該物品に対応するアプリケーションの少なくとも一方を特定するための物品情報とを対応付けて記憶するデータベースを格納する記憶部を備える通信端末である。この通信端末において、ビーコン信号受信部が、ビーコン信号を受信して、当該ビーコン信号に含まれる識別情報を取得し、物品情報取得部が、ビーコン信号受信部が取得した識別情報に対応する物品情報を記憶部から取得する。そして、配信要求部が、物品情報取得部が取得した物品情報に対応するアプリケーションの配信をアプリケーション配信サーバに要求する。
【発明の効果】
【０００９】
本発明によれば、通信端末は、ビーコン装置が設けられた物品に対応するアプリケーションの配信をアプリケーション配信サーバに要求するまでの処理を自動化したことにより、アプリケーション配信サーバから効率的にアプリケーションの配信を受けることができる。
【図面の簡単な説明】
【００１０】
【図１】本発明の一実施の形態例に係るアプリケーション配信システムの構成例を示すブロック図である。
【図２】本発明の一実施の形態例に係る物品情報データベースの第１のデータ構成例を示す説明図である。
【図３】本発明の一実施の形態例に係る物品情報データベースの第２のデータ構成例を示す説明図である。
【図４】本発明の一実施の形態例に係る通信端末がビーコンＩＤを送信し、物品情報管理サーバから物品情報を受信するまでの処理の流れを示す動作説明図である。
【図５】本発明の一実施の形態例に係る通信端末が物品情報を送信し、アプリケーション配信サーバから専用アプリケーションを受信するまでの処理の流れを示す動作説明図である。
【図６】本発明の一実施の形態例に係る通信端末が専用アプリケーションをダウンロードする前の状態を示す説明図である。
【図７】本発明の一実施の形態例に係る通信端末が専用アプリケーションをダウンロードした後の状態を示す説明図である。
【図８】本発明の一実施の形態の第１の変形例に係るアプリケーション配信システムの構成例を示すブロック図である。
【図９】本発明の一実施の形態の第２の変形例に係る物品情報データベースの第３のデータ構成例を示す説明図である。
【図１０】本発明の一実施の形態の第２の変形例に係る物品情報データベースの第４のデータ構成例を示す説明図である。
【発明を実施するための形態】
【００１１】
［１−１．一実施の形態例］
以下、本発明の一実施の形態例に係るアプリケーション配信システムについて、図１〜図７を参照して説明する。このアプリケーション配信システムでは、通信端末のコンピュータが、プログラムを実行することにより、後述する機能ブロックの連携によって、アプリケーション配信サーバに専用アプリケーションの配信を要求することが可能である。本明細書及び図面において、実質的に同一の機能又は構成を有する構成要素については、同一の符号を付することにより重複する説明を省略する。
【００１２】
＜アプリケーション配信システムの構成例＞
図１は、アプリケーション配信システム１の構成例を示す。
アプリケーション配信システム１は、少なくとも、ビーコン装置２、通信端末３、物品情報管理サーバ６及びアプリケーション配信サーバ９を含んで構成される。通信端末３は、アクセスポイント４、ネットワーク５を介して、物品情報管理サーバ６及びアプリケーション配信サーバ９と通信を行うことが可能である。以下の説明では、携帯電話等の移動体通信における基地局やＷｉ−Ｆｉ（登録商標）通信のための通信インターフェースを含む用語として「アクセスポイント」を用いる。
【００１３】
ビーコン装置２は、取り付け、貼り付け、内蔵等の方法により、製品や商品等の物品に設けられ、少なくとも、不図示のビーコンＩＤ記憶部及びビーコン信号発信部を含む構成となっている。ビーコンＩＤ記憶部は、不揮発性メモリであってもよいし、電源供給が維持される前提であれば揮発性メモリであってもよく、ビーコン装置２自身やそれが設けられた物品を識別するための識別情報の一例としてビーコンＩＤを記憶している。ここでは、ビーコン装置２（のビーコンＩＤ記憶部）に記憶されているビーコンＩＤとして“ＢＩＤｘ”が示されている。ビーコン信号発信部は、ビーコンＩＤ記憶部から読み出したビーコンＩＤをビーコン信号に載せ、このビーコン信号を送信する。ここで、ビーコン装置２と通信端末３との間の通信規格としては、例えば、Ｂｌｕｅｔｏｏｔｈ（登録商標）やＢＬＥ（Bluetooth Low Energy）等の近距離無線通信規格が適している。例えば、ＢＬＥ規格のビーコン装置２（のビーコン信号発信部）は、ビーコンＩＤを含むアドバタイジングデータをビーコン信号としてブロードキャストによりビーコン装置２の周囲に周期的に送信する。
【００１４】
通信端末３は、バス１７によって互いに接続された、ビーコン信号受信部１１、処理部１２、入力部１３、サーバ通信部１４、記憶部１５、出力部１６を備えている。この通信端末３としては、スマートフォン、タブレット端末等の各種の情報処理装置を用いることが可能である。
【００１５】
ビーコン信号受信部１１は、不図示のアンテナを介してビーコン装置２からビーコン信号を受信し、ビーコン信号に含まれるビーコンＩＤを取得する。
【００１６】
処理部１２は、例えば、低消費電力で駆動可能な中央演算処理装置（ＣＰＵ：Central Processing Unit）によって構成されている。この処理部１２は、記憶部１５から読み出したプログラム、パラメータ等に基づいて、通信端末３内の各部の動作を制御する。このとき、処理部１２は、入力部１３から入力された操作信号に基づいて各部に動作指示を与える制御を行う。
【００１７】
処理部１２は、物品情報取得部１２ａ及び配信要求部１２ｂを備える。物品情報取得部１２ａは、サーバ通信部１４を介して、ビーコン信号受信部１１が取得したビーコンＩＤに対応する物品情報を物品情報管理サーバ６から取得する。配信要求部１２ｂは、サーバ通信部１４を介して、物品情報取得部１２ａが取得した物品情報に対応する専用アプリケーションの配信をアプリケーション配信サーバ９に要求する。
【００１８】
入力部１３は、通信端末３の筐体に配されたボタン、スイッチの他に、出力部１６の画面タッチによって行われた操作入力に従って、操作信号を処理部１２に出力する。
【００１９】
サーバ通信部１４は、不図示のアンテナを介してアクセスポイント４に接続され、このアクセスポイント４からネットワーク５を経由して物品情報管理サーバ６に接続される。これにより、サーバ通信部１４は、物品情報管理サーバ６が有する物品情報データベース８（図中では、「物品情報ＤＢ８」と表す。）にアクセス可能である。また、サーバ通信部１４は、アクセスポイント４からネットワーク５を経由してアプリケーション配信サーバ９にも接続される。サーバ通信部１４とアクセスポイント４との間では、例えば移動体通信（例えば、３Ｇ）や無線ＬＡＮ（Local Area Network）（例えば、Ｗｉ−Ｆｉ（登録商標））の通信規格を用いて通信を行うことが想定される。
【００２０】
記憶部１５は、例えば、ＲＯＭ（Read Only Memory）、ＲＡＭ（Random Access Memory）等として用いられる記憶媒体、メモリカードによって構成されている。この記憶部１５には、通信端末３内の各部を制御するためのプログラム、パラメータ等の様々なデータが永久記憶又は一時記憶されている。
【００２１】
出力部１６は、テキスト、画像等よりなる情報を表示面に表示する表示部としても用いられる。この出力部１６には、アプリケーション配信サーバ９に接続するための情報として、例えば、アプリケーションの配信サイトが表示される。なお、通信端末３では、入力部１３及び出力部１６は、操作面と表示面とを重ねたタッチパネルディスプレイとして構成されていてもよい。
【００２２】
物品情報管理サーバ６は、物品情報データベース８を格納する記憶装置７を備える。この記憶装置７は、例えば、大容量のＨＤＤ（Hard Disk Drive）によって構成されている。
【００２３】
記憶装置７に格納される物品情報データベース８は、ビーコンＩＤと物品情報とを対応付けて記憶している。ここで、物品情報は、ビーコン装置２が設けられた物品を特定するための情報であり、物品の種類を特定するための製品名や製品の型式等の情報だけでなく、さらに物品を個別に特定するための製造年月日やシリアル番号等の情報も含み得る。そして、物品情報管理サーバ６は、通信端末３からビーコンＩＤを受け取ると、そのビーコンＩＤに対応する物品情報を物品情報データベース８から読み出し、通信端末３に送信する。
【００２４】
アプリケーション配信サーバ９は、通信端末３からの要求に応じて、通信端末３に対して専用アプリケーションを配信する。アプリケーション配信サーバ９は、通信端末３から物品情報を受け取ると、その物品情報に対応する専用アプリケーションを通信端末３に配信する。
【００２５】
＜物品情報データベースの第１のデータ構成例＞
図２は、物品情報データベース８の第１のデータ構成例を示す。
図２に示す物品情報データベース８は、ビーコンＩＤフィールド８ａと物品情報フィールド８ｂとを有する。ビーコンＩＤフィールド８ａには、ビーコン装置２がビーコン信号として発信するビーコンＩＤが格納され、物品情報フィールド８ｂには、ビーコン装置２が設けられた物品を特定するための物品情報が格納される。この第１のデータ構成例では、物品の種類を特定するため、物品情報として物品名が用いられ、同じ種類の物品に設けられたビーコン装置２は、同じビーコンＩＤをビーコン信号として発信する。この例では、ビーコンＩＤが“ＢＩＤｘ”、“ＢＩＤｙ”、“ＢＩＤｚ”に対応する物品情報（物品名）として、それぞれ「Ａ社電動模型ｘ」、「Ａ社鉄道模型ｙ」、「Ａ社ボードゲームｚ」が登録されている。
【００２６】
＜物品情報データベースの第２のデータ構成例＞
図３は、物品情報データベース８の第２のデータ構成例を示す。
図３に示す物品情報データベース８においても、ビーコンＩＤフィールド８ａと物品情報フィールド８ｂとを有する。この第２のデータ構成例では、物品を個別に特定するため、物品情報として物品の型式に加えて、シリアル番号及び製造年月日が用いられ、同じ種類の物品に設けられたビーコン装置２であっても、個別に異なるビーコンＩＤをビーコン信号として発信する。
【００２７】
＜アプリケーション配信方法の処理例＞
次に、アプリケーション配信システム１において、アプリケーション配信サーバ９が通信端末３に専用アプリケーションを配信する際の処理の流れを、図４及び図５を参照して説明する。
【００２８】
図４は、通信端末３がビーコンＩＤを送信し、物品情報管理サーバから物品情報を受信するまでの処理の流れ（１）、（２）、（３）を示す動作説明図である。ここでは、ビーコン装置２は、物品の一例としての模型１０に取り付けられている。
（１）模型１０に設けられたビーコン装置２は、ビーコンＩＤ“ＢＩＤｘ”を含むビーコン信号を周期的に発信（送信）している。そして、通信端末３のビーコン信号受信部１１は、ビーコン信号を受信して、このビーコン信号に含まれるビーコンＩＤ“ＢＩＤｘ”を取得する。
【００２９】
（２）通信端末３の物品情報取得部１２ａ（処理部１２）は、ビーコン信号受信部１１が取得したビーコンＩＤ“ＢＩＤｘ”を、サーバ通信部１４から、アクセスポイント４及びネットワーク５を介して物品情報管理サーバ６に送信する。
【００３０】
（３）物品情報管理サーバ６は、通信端末３から受信したビーコンＩＤ“ＢＩＤｘ”に対応する物品情報を物品情報データベース８から読み出し、ネットワーク５及びアクセスポイント４を介して通信端末３に送信する。例えば、図２に示した物品情報データベース８からビーコンＩＤ“ＢＩＤｘ”に対応する物品情報「Ａ社電動模型ｘ」を読み出して、通信端末３に送信する。そして、通信端末３の物品情報取得部１２ａは、サーバ通信部１４を介して、この物品情報を取得する。
【００３１】
図５は、通信端末３が物品情報を送信し、アプリケーション配信サーバ９から専用アプリケーションを受信するまでの処理の流れ（４）、（５）を示す動作説明図である。
【００３２】
（４）通信端末３の配信要求部１２ｂ（処理部１２）は、図４に示す（３）の処理によって物品情報取得部１２ａが取得した物品情報を、サーバ通信部１４から、アクセスポイント４及びネットワーク５を介してアプリケーション配信サーバ９に送信する。
【００３３】
（５）アプリケーション配信サーバ９は、まず、通信端末３から受信した物品情報に対応する専用アプリケーションを特定し、この専用アプリケーションをダウンロードするための接続情報を通信端末３に提供する。例えば、通信端末３の出力部１６には、専用アプリケーションのダウンロードを促す専用ページが表示される。次に、ユーザが専用ページに含まれるインストールボタンを押下（タッチ）すると、配信要求部１２ｂは、アプリケーション配信サーバ９に対して専用アプリケーションの配信を要求する。そして、通信端末３は、アプリケーション配信サーバ９から配信された専用アプリケーションをネットワーク５及びアクセスポイント４を介してダウンロードする。この専用アプリケーションは、記憶部１５に記憶された後、処理部１２によってインストールが行われる。これにより、ユーザが通信端末３を用いて、模型１０の操作をすることが可能となる。なお、通信端末３がアプリケーション配信サーバ９に物品情報を送信した後、それに対応する専用アプリケーションが自動的にダウンロードされ、インストールされるようにしてもよい。
【００３４】
＜通信端末にインストールされるアプリケーションの例＞
次に、通信端末３にインストールされるアプリケーションの例について、図６及び図７を参照して説明する。
【００３５】
図６は、通信端末３が専用アプリケーションをダウンロードする前の状態を示す。
通信端末３には、ポータルアプリケーション１８ａが予めインストールされている。ポータルアプリケーション１８ａは、例えば、模型１０の専用アプリケーションを含むアプリケーションが管理されているポータルサイトに通信端末３を接続するために用いられる。また、ポータルアプリケーション１８ａは、物品情報管理サーバ６及びアプリケーション配信サーバ９にアクセスするためのＵＲＬ等の情報を含んでいる。そして、通信端末３は、このポータルアプリケーション１８ａを処理部１２で実行することにより、物品情報取得部１２ａ及び配信要求部１２ｂに相当する処理を実行することができる。
【００３６】
ユーザが、通信端末３を操作してポータルアプリケーション１８ａを起動した状態で、模型１０に設けられたビーコン装置２に通信端末３を近づけると、通信端末３は、ビーコン装置２が発信するビーコン信号を受信して、このビーコン信号に含まれるビーコンＩＤ“ＢＩＤｘ”を取得する。そして、ポータルアプリケーション１８ａの機能により、取得したビーコンＩＤ“ＢＩＤｘ”を物品情報管理サーバ６に送信する処理（図４を参照）が開始される。
【００３７】
図７は、通信端末３が専用アプリケーションをダウンロードした後の状態を示す。
通信端末３は、図４及び図５に示したような処理を経て、アプリケーション配信サーバ９から専用アプリケーション１８ｂ（図中では、「電動模型ｘ用アプリケーション」と示されている。）をダウンロードする。そして、専用アプリケーション１８ｂが通信端末３にインストールされる。このインストールは自動的に行ってもよいし、ユーザがインストールの可否を判断するための選択画面を出力部１６に表示した後、インストール可の選択がなされたことによりインストールを行ってもよい。
【００３８】
通信端末３に専用アプリケーションがインストールされた後、ユーザは通信端末３を用いて模型１０を操作することが可能となる。
【００３９】
以上説明したアプリケーション配信システム１によれば、ユーザが模型１０に通信端末３を近づけるだけで、通信端末３が模型１０に設けられたビーコン装置２からビーコン信号を受信し、ビーコンＩＤを取得する。そして、このビーコンＩＤに基づいて、物品情報管理サーバ６から物品情報を取得し、さらに取得した物品情報に基づいてアプリケーション配信サーバ９から専用アプリケーションを取得する。このようにユーザは、模型１０の種類等を入力しなくても、通信端末３が模型１０の専用アプリケーションを自動的に取得できるため、通信端末３に専用アプリケーションをインストールするまでの時間や労力を削減することができる。
【００４０】
また、ビーコン装置２の電源を模型１０から得るようにしておけば、模型１０が電源オンされたタイミングでビーコン装置２がビーコン信号を発信することができる。このため、模型１０が店頭に陳列されているときにはビーコン装置２からビーコン信号は発信されず、模型１０を購入していないユーザが専用アプリケーションを取得することを防ぐことができる。逆に、アプリケーション配信サーバ９に専用アプリケーションの配信を要求した通信端末３は、模型１０を購入したユーザであると考えられる。このため、アプリケーション配信サーバ９は、模型１０の購買状況を管理することもできる。
【００４１】
［１−２．一実施の形態の第１の変形例］
＜アプリケーション配信システムの構成例＞
次に、本発明の一実施の形態の第１の変形例（通信端末が物品情報データベースを備える例）に係るアプリケーション配信システムについて、図８を参照して説明する。
【００４２】
図８は、アプリケーション配信システム２０の構成例を示す。
アプリケーション配信システム２０は、通信端末２１、ビーコン装置２及びアプリケーション配信サーバ９を含んで構成されている。
【００４３】
通信端末２１は、上述した通信端末３とほぼ同様の構成であるが、記憶部として物品情報データベース８を格納できる記憶部２２を備える点が通信端末３と異なる。記憶部２２は、例えば大容量のＨＤＤによって構成されている。
【００４４】
このような構成とした通信端末２１においても、物品情報取得部１２ａ（処理部１２）は、記憶部２２が格納している物品情報データベース８を参照して、ビーコン信号から取得したビーコンＩＤに対応する物品情報を取得する。そして、配信要求部１２ｂ（処理部１２）は、アプリケーション配信サーバ９に接続し、この物品情報に対応する専用アプリケーションの配信を要求する。このように通信端末２１は、記憶部２２に物品情報データベース８を予め格納しておくことにより、物品情報管理サーバ６にアクセスしなくてもアプリケーション配信サーバ９から専用アプリケーションを取得することができる。
【００４５】
［１−３．一実施の形態の第２の変形例］
＜物品情報データベースの構成例＞
図９及び図１０は、上述した一実施の形態の第２の変形例として物品情報データベース８の構成を変えた例を示している。
上述した図２及び図３には、ビーコン装置２が設けられた物品を特定するための物品情報を格納した物品情報データベース８のデータ構成例について示したが、物品情報として、その物品に対応する専用アプリケーションを特定するための情報を用いることもできる。
【００４６】
図９は、物品情報として、物品に対応する専用アプリケーションのアプリケーション名を用いた物品情報データベース８の第３のデータ構成例を示す。
【００４７】
図１０は、物品情報として、物品に対応する専用アプリケーションの配信サイトのＵＲＬを用いた物品情報データベース８の第４のデータ構成例を示す。この例では、各ＵＲＬは、ポータルサイトを示す共通のドメイン名を有しており、残りのパス名で個別の専用アプリケーションの格納場所（配信サイト）を特定している。
【００４８】
物品情報として専用アプリケーションを特定するための情報を用いた場合、アプリケーション配信サーバ９は、その物品情報に対応する専用アプリケーションを容易に特定することができる。なお、図１０に示した物品情報データベース８において、各ＵＲＬの「ｉｄｘｘｘｘｘｘ」等のパス名は、専用アプリケーションを識別するためのアプリケーションＩＤとしても機能し、このようなアプリケーションＩＤを物品情報として用いることもできる。
【００４９】
［２．変形例］
なお、上述した実施の形態例では、物品の一例として模型１０を用いたが、そのほかにもボードゲーム等の玩具、遊技具、家電製品等、様々な製品や商品にビーコン装置２を取付けることが可能である。
【００５０】
また、上述した実施の形態例では、通信端末の一例としてスマートフォン、タブレット端末を用いたものを示したが、他にも、無線コントローラ、フィーチャーフォン、ページャー、携帯音楽プレイヤー、腕時計等の様々なものを想定しうる。
【００５１】
また、物品情報データベース８には、Ａ社だけの物品情報を格納しているが、他社の物品情報と、この物品情報に対応付けられたビーコンＩＤとをさらに格納していてもよい。
【００５２】
また、ビーコン装置２は、物品に内蔵されてもよいし、物品の外部に露出するように取付けられていてもよい。
また、アプリケーション配信サーバ９によって配信されるアプリケーションは、専用アプリケーション以外に汎用アプリケーションであってもよい。
【００５３】
また、通信端末３が物品情報管理サーバ６に送信する情報としては、ビーコンＩＤ“ＢＩＤｘ”の他に、通信端末３を特定する端末ＩＤや、ユーザを特定するユーザＩＤを含ませて認証を行ってもよい。また、アプリケーション配信サーバ９は、事前にユーザ登録が完了しているユーザＩＤの通信端末３のみに専用アプリケーションを配信してもよい。
【００５４】
また、配信されるアプリケーションには、ボードゲームで用いるポイント計算アプリケーションや、通信端末３の画面にコクピットを表示して、電動模型の運転席の視点から撮影した映像を画面に表示可能な映像表示アプリケーション等も想定される。
【００５５】
また、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は本発明を分かりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５６】
１…アプリケーション配信システム、２…ビーコン装置、３…通信端末、４…アクセスポイント、５…ネットワーク、６…物品情報管理サーバ、７…記憶装置、８…物品情報データベース、９…アプリケーション配信サーバ
【図１】
2015158841.tif 000003
【図２】
2015158841.tif 000004
【図３】
2015158841.tif 000005
【図４】
2015158841.tif 000006
【図５】
2015158841.tif 000007
【図６】
2015158841.tif 000008
【図７】
2015158841.tif 000009
【図８】
2015158841.tif 000010
【図９】
2015158841.tif 000011
【図１０】
2015158841.tif 000012